(57)【要約】【課題】上下に配した一枚状の板材５、６を横枠材１１、１２と縦枠材１０とで支持するように構成した間仕切り１において、両板材５、６を支持するため上下に隣接する横枠材１１、１２間に設けた横目地Ｘを、縦枠材１０の分断端縁部Ｙにまで至るように構成するにあたり、該分断端縁部Ｙがそのまま露出しないようにする。【解決手段】分断端縁部Ｙを、縦枠材１０内に嵌入する嵌入部１４ｂを備えた覆い部材１４の覆い部１４ａで塞ぐようにする。【選択図】図７
2020105859.tif 000002
【特許請求の範囲】
【請求項１】
左右に間隔を存して立設される縦支柱間に横架材が設けられ、該横架材を挟む状態で上下にパネル体が配されると共に、前記横架材には、上下パネル体の互いに隣接する横端縁部にそれぞれ対応するようにして上下の横枠材が設けられ、前記縦支柱には、パネル体の左右縦端縁部に対応するようにして縦枠材が設けられた建具において、
前記上下横枠材の対向間に凹溝状の横目地が設けられ、
前記縦枠材を、前記横目地対応部位で分断された構成にして、前記横目地が縦枠材部位にまで至るように構成すると共に、
前記縦枠材の分断端縁部を覆い部材で覆ったことを特徴とする建具における横目地構造。
【請求項２】
縦枠材部位の横目地は、覆い部材が溝側面部に相当し、縦支柱の見付け面部が溝底面部に相当していることを特徴とする請求項１記載の建具における横目地構造。
【請求項３】
覆い部材は、縦枠材の内側面に案内される状態で縦枠材内に嵌入する嵌入部と、縦枠材の分断端縁部に当接して該分断端縁部を覆う覆い部とを備えて構成され、覆い部は、嵌入部から延出していて分断端縁部に当接するように設けられていることを特徴とする請求項１または２記載の建具における横目地構造。
【請求項４】
縦枠材は横枠材側に位置する内側見込み面部を備え、嵌入部は、該内側見込み面部の内側面に案内されることを特徴とする請求項３記載の建具における横目地構造。
【請求項５】
嵌入部は、縦枠材の内側見込み面部にビス固定されることを特徴とする請求項４記載の建具における横目地構造。
【請求項６】
縦枠材の内側見込み面部は、縦支柱の内側見込み面部に対向するするよう幅広になっており、嵌入部は、縦枠材の内側見込み面部に対応するよう幅広の支持面部が形成され、該支持面部が縦枠材にビス固定されていることを特徴とする請求項５記載の建具における横目地構造。
【請求項７】
ビスは、横枠材に覆蓋されることを特徴とする請求項５または６記載の建具における横目地構造。
【請求項８】
縦枠材は、覆い部の厚さ相当分、横目地の溝側面に対して段差状に後退する位置で分断されていることを特徴とする請求項１乃至７の何れか１記載の建具における横目地構造。
【請求項９】
縦枠材には、横枠材の見付け面部に対して積層する積層部が設けられ、該積層部の分断部も覆い部材で覆われることを特徴とする請求項１乃至３の何れか１記載の建具における横目地構造。
【発明の詳細な説明】
【技術分野】
【０００１】
本発明は、建造物に建て付けられる間仕切りやドア枠等の内装材における横目地構造の技術分野に関するものである。
【背景技術】
【０００２】
今日、例えば建造物の室内空間を仕切るため間仕切りを建具（内装材）として建て付けることがあり、そこで今、該間仕切りを例として説明したときに、間仕切りのなかには、ガラス板やパネル板等の板材を縦横の各枠材（縦枠材と横枠材）で支持する状態で上下に一連状に連設することがあり、このような場合に、上下に隣接する横枠材のあいだに凹溝状の横目地（横溝）を設けたものとし、これにより、間仕切りを外観視（視認）したときに、横目地が、凹溝状の横縞模様を呈した変化性のある構成にすることが要求される場合がある。
このようなものとして、横枠材の前後両側面（表裏面）にそれぞれ板材を組込み、これら板材の上下端縁部間に凹溝状の目地が設けられるようにしたものが知られている（例えば特許文献１参照）。
しかしながらこのものは、前後二枚の板材を前後方向に間隙を存して配設した肉厚の間仕切りを前提としているため、例えば板材を肉薄のガラス板とし、これを枠材の前後方向中間部位に一枚だけ取付けたものとしたいような場合に、このままの構成では採用できないという問題がある。
【先行技術文献】
【特許文献】
【０００３】
【特許文献１】特開２０１６−２２３１７１号公報
【発明の概要】
【発明が解決しようとする課題】
【０００４】
ところで前記間仕切りを、横目地が設けられたものにする場合、該横目地を、横枠材の左右幅（長さ）の範囲だけでなく、縦枠材にまで至る長いものとして連続性を有するものにしたい、という要求があり、このような場合、縦枠材を、間仕切りの下端から上端にまで至る長いものではなく、横枠材と交差する部位を分断（切断）した短いもので構成し、この分断した上下の端縁部（分断端縁部、切断端縁部）のあいだに、前記横枠材部位に形成される横目地に続くよう横目地を設けることが提唱される。ところがこのような構成にした場合、前記縦枠材の分断端縁部がそのまま露出することになって外観が損なわれるだけでなく、誤って指や衣服等が触れたような場合に、引っ掛かって損傷してしまうという惧れがあり、これらに本発明の解決すべき課題がある。
【課題を解決するための手段】
【０００５】
本発明は、上記の如き実情に鑑みこれらの課題を解決することを目的として創作されたものであって、請求項１の発明は、左右に間隔を存して立設される縦支柱間に横架材が設けられ、該横架材を挟む状態で上下にパネル体が配されると共に、前記横架材には、上下パネル体の互いに隣接する横端縁部にそれぞれ対応するようにして上下の横枠材が設けられ、前記縦支柱には、パネル体の左右縦端縁部に対応するようにして縦枠材が設けられた建具において、前記上下横枠材の対向間に凹溝状の横目地が設けられ、前記縦枠材を、前記横目地対応部位で分断された構成にして、前記横目地が縦枠材部位にまで至るように構成すると共に、前記縦枠材の分断端縁部を覆い部材で覆ったことを特徴とする建具における横目地構造である。
請求項２の発明は、縦枠材部位の横目地は、覆い部材が溝側面部に相当し、縦支柱の見付け面部が溝底面部に相当していることを特徴とする請求項１記載の建具における横目地構造である。
請求項３の発明は、覆い部材は、縦枠材の内側面に案内される状態で縦枠材内に嵌入する嵌入部と、縦枠材の分断端縁部に当接して該分断端縁部を覆う覆い部とを備えて構成され、覆い部は、嵌入部から延出していて分断端縁部に当接するように設けられていることを特徴とする請求項１または２記載の建具における横目地構造である。
請求項４の発明は、縦枠材は横枠材側に位置する内側見込み面部を備え、嵌入部は、該内側見込み面部の内側面に案内されることを特徴とする請求項３記載の建具における横目地構造である。
請求項５の発明は、嵌入部は、縦枠材の内側見込み面部にビス固定されることを特徴とする請求項４記載の建具における横目地構造である。
請求項６の発明は、縦枠材の内側見込み面部は、縦支柱の内側見込み面部に対向するよう幅広になっており、嵌入部は、縦枠材の内側見込み面部に対応するよう幅広の支持面部が形成され、該支持面部が縦枠材にビス固定されていることを特徴とする請求項５記載の建具における横目地構造である。
請求項７の発明は、ビスは、横枠材に覆蓋されることを特徴とする請求項５または６記載の建具における横目地構造である。
請求項８の発明は、縦枠材は、覆い部の厚さ相当分、横目地の溝側面に対して段差状に後退する位置で分断されていることを特徴とする請求項１乃至７の何れか１記載の建具における横目地構造である。
請求項９の発明は、縦枠材には、横枠材の見付け面部に対して積層する積層部が設けられ、該積層部の分断部も覆い部材で覆われることを特徴とする請求項１乃至３の何れか１記載の建具における横目地構造である。
【発明の効果】
【０００６】
請求項１の発明とすることにより、上下に一枚板状のパネル体が配されたものに対応できながら、これら上下のパネル体に対応して設けられる上下の横枠材間に形成される横目地が縦枠材部位にまで連続することになって視認性の優れたものになるが、この場合に、縦枠材の横目地相当部位に生じる分断端縁部は覆い部材によって覆われる結果、横目地が縦枠材にまで連続するものでありながら、分断端縁部が直接露出することがなくなって外観を損なうことがないうえ、物等が引っ掛かってしまうようなことを回避できることになる。
請求項２の発明とすることにより、縦枠材部位に設けられる横目地の溝側面部を、縦枠材の分断端縁部を塞ぐ覆い部材を有効に利用し、溝底面部を縦支柱を有効に利用してできることになる。
請求項３の発明とすることにより、覆い部材を、嵌入部から覆い部が延出した簡単な構造とすることができながら、嵌入部に案内させることで簡単に縦枠材に取付けることができることになる。
請求項４の発明とすることにより、覆い部材は、嵌入部を縦枠材の内側見込み面部に沿うよう案内することで組込みができることになって組み込み作業の作業性が向上する。
請求項５の発明とすることにより、覆い部材は、縦枠材にビス固定されるため不用意に外れたりすることを回避できることになる。
請求項６の発明とすることにより、覆い部材の縦枠材に対するビス固定位置が、覆い部によって覆われる部位に対して見込み方向内側に偏倚した位置となる結果、覆い部材は、横架材が設けられることで強度的にも強くなる縦支柱の見込み方向中央寄りでの支持ができることになって安定化することになる。
請求項７の発明とすることにより、覆い部材を取付け支持するためのビスが、横枠材を利用して覆蓋できることとなって、視認性を損なうことがない。
請求項８の発明とすることにより、縦枠材の分断端縁部を覆う覆い部が、横目地の溝底面に対して面一状になる結果、横枠材部位から縦枠材部位にまで至る横目地の均一化が図れることになって、外観を損なうことがない。
請求項９の発明とすることにより、縦枠材が、横枠材に対して積層する構造のものであっても、分断端縁部の覆い部材による覆蓋ができることになる。
【図面の簡単な説明】
【０００７】
【図１】間仕切りの正面図である。
【図２】上下に板材が組込まれた部位の縦断面図である。
【図３】下側にドア体が組込まれた部位の縦断面図である。
【図４】間仕切りの横断面図である。
【図５】間仕切りの要部の拡大横断面図である。
【図６】上下に板材が組込まれた横枠材部位の拡大縦断面図である。
【図７】上下に板材が組込まれた縦枠材部位の拡大縦断面図である。
【図８】縦枠材の分断部位の斜視図である。
【図９】縦枠材の分断部位の分解斜視図である。
【図１０】縦枠材の分断部位の平面図である。
【図１１】（Ａ）（Ｂ）（Ｃ）は覆い部材を取付けた縦枠材の正面図、側面図、平面図である。
【図１２】（Ａ）（Ｂ）（Ｃ）（Ｄ）は覆い部材の斜視図、正面図、底面図、側面図である。
【図１３】ドア体部位の要部縦断面図である。
【図１４】（Ａ）（Ｂ）（Ｃ）はドア体戸先側の縦枠材の分断部位の斜視図、分解斜視図、断面平面図である。
【図１５】（Ａ）（Ｂ）（Ｃ）（Ｄ）は第二覆い部材の斜視図、正面図、底面図、側面図である。
【図１６】（Ａ）（Ｂ）（Ｃ）（Ｄ）は第三覆い部材の斜視図、正面図、底面図、側面図である。
【発明を実施するための形態】
【０００８】
以下、本発明の実施の形態について、図面に基づいて説明する。図面において、１は建造物の室内に建て付けられる建具（内装材）の一例である間仕切りであって、該間仕切り１は、室内空間を仕切るため建て付けられるものであるが、本実施の形態のものは、天井Ｈに設けた天井レール２と床Ｆに設けた床レール３とのあいだに設けられたものとして構成されている。
そして本実施の形態においては、間仕切り１は、パネル体の例として、開き戸方式のドア体４、木板、ガラス板、ポリカーボネート板等の通常知られた薄板状の板材５、６、７が組込まれたものとして構成されている。
この場合に間仕切り１として、上下に板材５、６が組込まれたものと、下側にドア体４、上側に板材（欄間板）７が組込まれたものとが左右に並設された構成のものが例示されており、本発明は何れのものにも実施されているが、まずは上下に板材５、６が組込まれたものについて具体的に説明をする。
尚、本発明はこれらのものに限定されないことは勿論であって、ドア体がなく板材だけがパネル体として設けられたものであってもよく、これらの場合に、板材は上下に二枚ではなく、三枚以上の複数枚が設けられたものであってもよい。
【０００９】
前述したように、上下に板材５、６が組込まれたものについて、間仕切り１は、前記天井レール２、床レール３に対して左右方向に間隙を存して縦方向を向いた縦支柱８が立設され、該縦支柱８間には、縦支柱８の見込み面部８ａに突き当てるようにして縦支柱８の見込み幅と同幅の横架材９が横方向を向いた状態で架設（支架）されていて、間仕切り１の強度維持が図られている。因みに本実施の形態では、縦支柱８は四角柱形状をしたＣ型の型材で構成され、横架材９は冂型の型材で構成されているが、通常知られた形状の柱材を用いることができることは言うまでもない。
【００１０】
一方、１０は上下板材５、６の左右両端縁部を見込み方向中間部位（中央部位）で内嵌支持するべく見付け方向内側が開口した支持溝部１０ａが形成される縦枠材であって、該縦枠材１０に設けられる嵌合溝部１０ｂが、前記縦支柱８に対して見付け方向（左右方向）内側から外側に向けて外嵌するようにして組み込まれるが、該縦枠材１０は、支持溝部１０ａの溝側面部１０ｃの開口端部から見込み方向外側（前後方向外側（両外側））に向けて前後一対の内側見込み面部１０ｄが形成されている。一方、支持溝部１０ａの溝底面部１０ｅは、縦支柱８の内側（上下板材５、６側）見込み面部８ａに近接対向又は当接するよう設けられているが、該溝底面部１０ｅからは、前記見込み面部８ａに近接対向又は当接する状態で見込み方向外側（両外側）に向けて延長していて縦支柱８の見付け面部８ｂにまで至る延長面部１０ｆが設けられており、該延長面部１０ｆと前記溝底面部１０ｅとで嵌合溝部１０ｂの溝底面部を構成するようになっている。
【００１１】
さらに縦枠材１０には、延長面部１０ｆの見込み方向外端縁部から見付け方向外側に向けて延出することで、前記嵌合溝部１０ｂの溝側面部１０ｇが設けられると共に、該溝側面部１０ｇの見付け方向外側端縁部から見込み方向外側に向けて外側見込み面部１０ｈが設けられ、該外側見込み面部１０ｈと前記内側見込み面部１０ｄの見込み方向外端縁部同士を連結している外側見付け面部１０ｉが設けられており、そしてこれらのように構成されることにより、縦枠材１０は、支持溝部１０ａの溝側面部１０ｃ、内側見込み面部１０ｄ、外側見付け面部１０ｉ、外側見込み面部１０ｈ、嵌合溝部１０ｂの溝側面部１０ｇ、延長面部１０ｆにより囲撓される状態でＬ字形に折曲した中空状部（フォロー状部）Ｓが形成された構成になっている。
【００１２】
一方、１１、１２は上側板材５の下側端縁部、下側板材６の上側端縁部を見込み方向中間部位（中央部位）で内嵌支持するための支持溝１１ａ、１２ａが形成された上下の横枠材であって、上側板材５の下端縁部に対応して設けられる上側横枠材１１は、前記支持溝部１１ａが上側面部１１ｂに形成され、下側面部１１ｃに開口部１１ｄが形成され、該開口部１１ｄが横架材９に対して上側から外嵌する状態で組み付けられる構成になっている。そして上側横枠材１１は、縦枠材１０と見込み方向略同幅のもので構成されていて、左右両端縁部が前記縦枠材１０の内側見込み面部１０ｄに突き当てられる状態で組み付けられるようになっている。
【００１３】
また、下側板材６の上側端縁部に対応して設けられる下側横枠材１２は、上側横枠材１１とは、上下逆ではあるが、基本的には同様の形状で構成されている。つまり、支持溝部１２ａが下側面部１２ｂに形成され、上側面部１２ｃに形成された開口部１２ｄが横架材９の見付け面部９ｂに対して下側から外嵌組み付けされることになるが、本実施の形態の下側横枠材１２は、下側板材６を嵌め込むため、見込み方向何れか一方の下側部位が着脱自在に係止される押し縁部１２ｅが設けられた構成になっている点で、上側横枠材１１とは形状が異なっている。そして該下側横枠材１２も、上側横枠材１１と同様、縦枠材１０と見込み方向略同幅のもので構成されていて左右両端縁部が前記縦枠材１０の内側見込み面部１０ｄに突き当てられる状態で組み付けられるようになっている。
そしてこのように構成された上下の横枠材１１、１２は、互いに上下方向に対向する下側面部１１ｃと上側面部１２ｃとが上下方向に間隙を存する状態となっており、これによって、該下側面部１１ｃ、上側面部１２ｃが溝側面部（上下の溝側片）に、横架材９の見付け面部９ｂが溝底面部になる状態で上下横枠材１１、１２間に横目地Ｘが形成されたものになっている。尚、１１ｆ、１２ｆは上下横枠材１１、１２の見付け面部である。
【００１４】
尚、本実施の形態では、天井レール２に組み付けられる上側板材５の上側端縁部に対応して設けられる横枠材１２は、前記下側横枠材１２と同様のものが用いられ、床レール３に組み付けられる下側板材６の下側端縁部に対応して設けられる横枠材１１は、前記上側横枠材１１と同様のものが用いられている。また縦支柱８と横架材９とは、交差部においてＬ字形をしたコーナー金具１３を介して連結固定されている。
また、横架材９の見付け面部９ｂの左右端縁部の下半部には切欠き部９ｃが形成されているが、該切欠き部９ｃは、横架材９が縦支柱８に連結された状態では、縦枠材１０の内側見込み面部１０ｄの下端縁部に切欠き形成した凹溝部１０ｊに嵌入する構成になっている。さらに横架材９の上面部９ａは、縦枠材１０の下端縁部に形成した溝状部１０ｋに嵌入する構成になっている。
さらにまた、縦枠材１０における支持溝部１０ａの溝底面部１０ｅの上端縁部には凹溝部１０ｌが切欠き形成されており、該凹溝部１０ｌに設けられるコーナー金具１３ａにより縦枠材１０と上下横枠材１１、１２とが連結固定されている。
【００１５】
そして本実施の形態では、前記横目地Ｘを縦枠材１０部位にまで至る（延長させる）ため、縦枠材１０は、横目地Ｘに対応した部位で分断（切断）されたものになっており、該分断されることで、縦枠材１０には、前記Ｌ字形に折曲した中空状部Ｓが分断端縁部Ｙとして露出したものとなるが、本実施の形態では、前記中空状部Ｓのうち、縦枠材１０の延長面部１０ｆ側部位は、横架材９の上面部９ａによって覆われることになり、このため覆い部材１４としては、中空状部Ｓのうち、前記上面部９ａでは塞がれない部位、つまり、内側見込み面部１０ｄの縦支柱８の見付け面部８ｂよりも見込み方向（前後方向）外側部位、溝側面部１０ｇ、外側見込み面部１０ｈ、外側見付け面部１０ｉに当接する状態となって、縦支柱８の見付け面部８ｂよりも前後方向外側部位を覆うように構成すれば足りるものとなっており、以下、この構成について説明する。
【００１６】
前記覆い部材１４は、分断端縁部Ｙに上下方向から当接して該分断端縁部Ｙを覆う覆い部１４ａを備えて構成されるが、分断端縁部Ｙは、覆い部１４ａの厚さ相当分だけ横目地Ｘの溝側面、つまり上側横枠材１１の下側面部１１ｃ、下側横枠材１２の上側面部１２ｃに対して段差状に後退した位置で分断されており、これによって覆い部材１４を取付けた場合に、これら上下面部１１ｃ、１２ｃと覆い部１４ａとが面一状になるよう配慮されている。そして後述するように覆い部材１４を、覆い部１４ａが分断端縁部Ｙに当接するよう取付けた場合に、上下の覆い部１４ａが溝側面となり、縦支柱８の見付け面部８ｂおよび横枠材９の切欠き部９ｃ部位の見付け面部９ｂが溝底面となった凹溝状の横目地Ｘａが、前記横枠材１１、１２間に形成した横目地Ｘと一連状に連続する状態で形成されるようになっている。
【００１７】
前記覆い部材１４は、縦枠材１０の内側面、具体的には内側見込み面部１０ｄ、溝側面部１０ｇ、外側見付け面部１０ｉの各内側面に摺接（または近接対向）することで縦枠材１４内に嵌入案内される嵌入部１４ｂが形成されており、このように構成されることで、覆い部材１４は、覆い部１４ａが嵌入部１４ｂに対して鍔状（はみ出し状）に延出した構成になっている。
一方、前記嵌入部１４ｂのうち、内側見込み面部１０ｄの内周面に案内される部位は、該内側見込み面部１０ｄの内側面に対応するよう（沿うよう）見込み方向並びに上下方向に延長されることで上下および前後に幅広な支持面部１４ｃを構成しており、該支持面部１４ｃのうち縦枠材１０の内側見込み面部１０ｄに対応する部位がビス２０を介して縦枠材１０の内側見込み面部１０ｄに固定されている。
【００１８】
叙述の如く構成された本発明の実施の形態において、前記間仕切り１は、縦支柱８に組み付けられる縦枠材１０、横架材９に組み付けられる横枠材１１、１２に一枚板状の板材５、６が上下に隣接する状態で組込まれたものにできることになって、見込み方向に凹凸変化があって意匠性（外観性、視認性）に優れたものにできることになるが、この場合、さらに上下板材５、６の互いに隣接する端縁部に対応して設けられる上下横枠材１１、１２間に凹溝状の横目地Ｘが形成されたものにしているが、該横目地Ｘは、縦枠材１０を横目地Ｘに対応する部位で分断したことで形成される横目地Ｘａに対して一連状に連続する構造となって、横目地Ｘ、Ｘａとしての連続性を確保できるものでありながら、前記縦枠材１０の分断端縁部Ｙは、覆い部材１４によって覆われることになり、この結果、分断端縁部Ｙが直接視認されることがなくなって意匠性が向上するだけでなく、指や物が引っ掛かったりする等の不具合も回避できることになる。
【００１９】
しかもこの場合に、縦枠材１０部位の横目地Ｘａは、覆い部材１４が溝側面部に相当し、縦支柱８の見付け面部８ｂが溝底面部に相当することになる結果、縦枠材１０部位に設けられる横目地Ｘａは、縦枠材１０の分断端縁部Ｙを塞ぐ覆い部材１４と縦支柱８の見付け面部８ｂとを有効に利用してできることになって構造の簡略化が図れることになる。
【００２０】
また覆い部材１４は、縦枠材１０の内側面に案内される状態で縦枠材１０内に嵌入する嵌入部１４ｂと、縦枠材１０の分断端縁部Ｙに当接して該分断端縁部Ｙを覆う覆い部１４ａとを備えて構成されているが、この場合に、覆い部１４ａは、嵌入部１４ｂから鍔状に延出していて分断端縁部Ｙに当接するように設けられているため、覆い部材１４を、嵌入部１４ｂから覆い部１４ａが延出した簡単な構造とすることができると共に、嵌入部１４ｂを縦枠材１０の内側面に案内させることで簡単に覆い部材１４の縦枠材１０に対する組付けができることになる。
この場合にさらに覆い部材１４は、縦枠材１０の視認しやすい内側見込み面部１０ｄの内側面に嵌入部１４ｂを嵌入案内しながらの組込み作業ができることになるため、該覆い部材１４の縦枠材１０に対する組込み作業が簡便化されることになって操作性が向上する。
【００２１】
そのうえ覆い部材１４は、嵌入部１４ｂを構成している支持面部１４ｃが、縦枠材１０の内側見込み面部１０ｄにビス２０を介して固定されるため不用意に外れたりすることを回避できることになるが、この場合に、縦枠材１０の内側見込み面部１０ｄは、縦支柱８の内側見込み面部８ａに対向するするよう見込み方向（前後方向）に幅広になっている一方、覆い部材１４の嵌入部１４ｂは、縦枠材１０の内側見込み面部１０ｄに対応するよう幅広の支持面部１４ｃが形成されたものとなっており、この支持面部１４ｃが縦枠材１０にビス２０を介して固定される結果、覆い部材１４の縦枠材１０に対するビス２０の固定位置が、覆い部材１４の覆い部１４ａが覆う部位に対して見込み方向内側に偏倚した位置となる。この結果、覆い部材１４は、横架材９が設けられることで強度的にも強くなる縦支柱８の見込み方向中央寄りでの支持ができることになって強度的に強いものとなって安定化することになる。
しかも前記覆い部材１４を取付け支持するためのビス２０は横枠材１１、１２によって覆蓋されて外観視されることがなく、このため視認性を損なうことがない。
【００２２】
尚、本発明は、前記実施の形態のように上下に板材５、６が設けられた部位のものに限定されないことは勿論であって、下側にドア体４、上側に板材（欄間板）７のパネル体が設けられた部位であっても実施することができ、そこで以下、この部位に斯かる実施の形態について説明する。
このものでは、ドア体４の左右両側に配される左右の縦支柱８には、見付け方向内側から外嵌するようにして左右ドア枠を構成するための縦枠材１５、１６が取り付けられており、そして見付け方向外側である戸尻側の縦枠材１６に、蝶番４ａを介してドア体４が開閉自在に蝶着されている。
【００２３】
一方、下側のドア体４と上側の板材７とのあいだに配される状態で左右縦支柱８間に架設される横架材９には、板材７の下端縁部、ドア体４の上端縁部に対応するようにして上下の横枠材１７、１８が上下方向から外嵌するようにして設けられており、これらによってドア体４と板材７とのあいだを仕切るための無目が形成されたものになっているが、これら上下の横枠材１７、１８の上下対向間にも、前記実施の形態と同様、横架材９の見付け面部９ｂが溝底部になる状態の凹溝状になった横目地Ｘが形成されている。
【００２４】
そしてこのものでも、縦枠材１５、１６が前記横目地Ｘに対応する部位で分断されていて、前記横目地Ｘに続くようにして縦枠材１５、１６部位にも横目地Ｘａが形成されることになるが、本実施の形態では、前記縦枠材１５、１６は左右対称形状となっているため、戸先側の縦枠材１５部位の構成について詳細説明をし、戸尻側縦枠材１６部位についての説明は省略する。
【００２５】
前記縦枠材１５は、縦支柱８に外嵌する嵌合溝部１５ａを構成するための溝側面部１５ｂと、該溝側面部１５ｂの開口端縁部から見込み方向に延出する外側見込み面部１５ｃと、該外側見込み面部の外側端縁部からドア体４側に形成される前後の見付け面部１５ｄ、１５ｅと、さらに後述する面部を備えて構成されるが、見付け面部のうち、一方の見付け面部１５ｄは、ドア体４の戸先側端縁部とのあいだで相决り構造を形成するため、他方の見付け面部１５ｅよりも見付け方向に長くなっている。そしてこれら見付け面部１５ｄ、１５ｅのドア体４側の端縁部からはそれぞれ見込み方向内側に向けて内側見込み面部１５ｆ、１５ｇが形成され、これら内側見込み面部１５ｆ、１５ｇ同士は、閉鎖したドア体４の端縁部に相决り構造で対向するドア体対向面部１５ｈが形成されている。尚、１５ｉは縦枠材に内装されるスペーサ材である。
【００２６】
一方、前記横枠材１７、１８のうち、上側横枠材１７については前記実施の形態の上側横枠材１１と同様のものを採用しているため、その詳細は省略し、下側横枠材１８について説明をするが、この下側横枠材１８についても、前記縦枠材１５と同様のものを用いているため、引出符号が付与される個々の部位について、嵌合溝部１８ａ、溝側面部１８ｂ、外側見込み面部１８ｃ、見付け面部１８ｄ、１８ｅ、内側見込み面部１８ｆ、１８ｇ、ドア体対向面部１８ｈが形成されたものになっている。
【００２７】
そしてこのものでは、前記縦支柱８の見込み面部８ａに横架材９の端縁部が突き当て状に取付けられ、コーナー金具１３を介して固定されたものになっているが、縦枠材１５は、見付け面部１５ｄ、１５ｅが下側横枠材１８の見付け面部１８ｄ、１８ｅに対して前後方向外方から積層する（オーバーラップする）よう切欠き溝１５ｊが形成されている。そしてこのように構成することにより、縦枠材１５の分断端縁部Ｙは、下側横枠材１８の見付け面部１８ｄ、１８ｅ部位にまで至る構成となり、分断端縁部Ｙは、該見付け面部１８ｄ、１８ｅ部位に至る部位までもが中空状部Ｓとなっており、しかもこれらの分断端縁部Ｙの形状は、縦枠材１５を前記相决り構造としたため異なっている。そこで本実施の形態では、これら異なった形状の中空状部Ｓに対応するよう、第二、第三の覆い部材２１、２２を備えたものとし、これら第二、第三の覆い部材２１、２２を用いて分断端縁部Ｙを覆う構成になっており、このようにして覆った状態で、第二、第三の覆い部材２１、２２の覆い部２１ａ、２２ａが、横目地Ｘａの溝側面部を構成するようになっている。このような構成にすることで、横枠材１８側に縦枠材１５が積層した構造になったものであっても、縦枠材１６の分断端縁部Ｙを簡単に塞ぐことができることになる。
因みに第二、第三の覆い部材２１、２２は、前記実施の形態の覆い部材１４のようにビス２０を用いて固定されるものではなく、そのため嵌入部２１ｂ、２２ｂ全体を長いものにして縦枠材１５に深く嵌入する構成にし、これにより不用意に外れてしまうことを回避できるようにしている。
【００２８】
ところでこのように構成された本実施の形態のものでは、縦支柱８に対して左右方向両側から縦枠材１０（若しくは１５）が隣接する状態で取り付けられたものである場合に、これら縦枠材１０の外側見込み面１０ｈ（若しくは１５ｃ）同士が互いに対向することになり、そこでこれら外側見込み面１０ｈ（若しくは１５ｃ）同士の対向間を凹溝状の隙間を備えたものとして縦目地Ｚが形成されたものとし、縦目地Ｚ、横目地Ｘ、Ｘａが縦横一連状に連続した状態で設けられたものになっている。
【産業上の利用可能性】
【００２９】
本発明は、建物の室内空間を仕切る間仕切り等の建具の分野で利用することができる。
【符号の説明】
【００３０】
１  間仕切り
４  ドア体
５、６、７  板材
８  縦支柱
９  横架材
１０  縦枠材
１０ｄ  内側見込み面部
１０ｈ  外側見込み面部
１０ｉ  外側見付け面部
１１  上側横枠材
１２  下側横枠材
１４  覆い部材
１４ａ  覆い部
１４ｂ  嵌入部
１４ｃ  支持面部
２０  ビス
Ｓ  中空状部
Ｘ、Ｘａ  横目地
Ｙ  分断端縁部
【図１】
2020105859.tif 000003
【図２】
2020105859.tif 000004
【図３】
2020105859.tif 000005
【図４】
2020105859.tif 000006
【図５】
2020105859.tif 000007
【図６】
2020105859.tif 000008
【図７】
2020105859.tif 000009
【図８】
2020105859.tif 000010
【図９】
2020105859.tif 000011
【図１０】
2020105859.tif 000012
【図１１】
2020105859.tif 000013
【図１２】
2020105859.tif 000014
【図１３】
2020105859.tif 000015
【図１４】
2020105859.tif 000016
【図１５】
2020105859.tif 000017
【図１６】
2020105859.tif 000018